【手続補正書】
【提出日】平成23年8月11日(2011.8.11)
【手続補正１】
【補正対象書類名】明細書
【補正対象項目名】発明の名称
【補正方法】変更
【補正の内容】
【発明の名称】送信装置、受信装置、データ送信方法およびデータ受信方法
【手続補正２】
【補正対象書類名】明細書
【補正対象項目名】０００１
【補正方法】変更
【補正の内容】
【０００１】
本発明は、デジタル通信システムにおける送信装置、受信装置、データ送信方法およびデータ受信方法に関する。本発明は、具体的には、時間とともに変化する（time-variant）チャネルまたは周波数が変化する（frequency-variant）チャネルを通じてデータが送信される通信システム（例：モバイル通信システムまたは衛星通信）に適用することができる。本発明は、具体的には、ノイズや干渉効果を受けるチャネルを通じてデータが送信される通信システムに適用することができる。
【手続補正３】
【補正対象書類名】明細書
【補正対象項目名】００４６
【補正方法】変更
【補正の内容】
【００４６】
本発明の１つの態様によると、送信装置は、第１のマッピングを用いて変調された第１のシンボルに基づいて、第２のマッピングを用いて第２のシンボルを生成する生成ユニットと、前記第１のシンボルと前記第２のシンボルとを送信する送信ユニットと、を有し、 前記第１のマッピングは、ＱＰＳＫ変調のためのマッピングであり、前記第２のマッピングは、実軸に関して前記第１のシンボルの信号点と線対称の関係を有する信号点を前記第２のシンボルの信号点とするマッピングである。
【手続補正４】
【補正対象書類名】明細書
【補正対象項目名】００４７
【補正方法】変更
【補正の内容】
【００４７】
本発明の別の態様によると、受信装置は、第１のシンボルと第２のシンボルとを受信する受信ユニットと、前記受信された第１のシンボルと前記受信された第２のシンボルとを復調する復調ユニットと、を有し、前記第１のシンボルは、第１のマッピングを用いてデータを変調して生成されたシンボルであり、前記第２のシンボルは、前記第１のシンボルに基づく第２のマッピングを用いて生成されたシンボルであり、前記第１のマッピングは、ＱＰＳＫ変調のためのマッピングであり、前記第２のマッピングは、実軸に関して前記第１のシンボルの信号点と線対称の関係を有する信号点を前記第２のシンボルの信号点とするマッピングである。
【手続補正５】
【補正対象書類名】明細書
【補正対象項目名】００４８
【補正方法】変更
【補正の内容】
【００４８】
本発明のさらに別の態様によると、データ送信方法は、送信装置により実行されるデータ送信方法であって、第１のマッピングを用いて第１のシンボルを生成するステップと、第２のマッピングを用いて前記第１のシンボルに基づき第２のシンボルを生成するステップと、前記生成された第１のシンボルと前記生成された第２のシンボルとを送信するステップと、を有し、前記第１のマッピングは、ＱＰＳＫ変調のためのマッピングであり、前記第２のマッピングは、実軸に関して前記第１のシンボルの信号点と線対称の関係を有する信号点を前記第２のシンボルの信号点とするマッピングである。
【手続補正６】
【補正対象書類名】明細書
【補正対象項目名】００４９
【補正方法】変更
【補正の内容】
【００４９】
本発明のさらに別の態様によると、データ受信方法は、受信装置により実行されるデータ受信方法であって、第１のシンボルと第２のシンボルとを受信するステップと、前記受信された第１のシンボルと前記受信された第２のシンボルとを復調するステップと、を有し、前記第１のシンボルは、第１のマッピングを用いてデータを変調して生成されたシンボルであり、前記第２のシンボルは、前記第１のシンボルに基づき第２のマッピングを用いて生成されたシンボルであり、前記第１のマッピングは、ＱＰＳＫ変調のためのマッピングであり、前記第２のマッピングは、実軸に関して前記第１のシンボルの信号点と線対称の関係を有する信号点を前記第２のシンボルの信号点とするマッピングである。
【手続補正７】
【補正対象書類名】明細書
【補正対象項目名】００５０
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
第１のマッピングを用いて変調された第１のシンボルに基づいて、第２のマッピングを用いて第２のシンボルを生成する生成ユニットと、
前記第１のシンボルと前記第２のシンボルとを送信する送信ユニットと、を有し、
前記第１のマッピングは、ＱＰＳＫ変調のためのマッピングであり、
前記第２のマッピングは、実軸に関して前記第１のシンボルの信号点と線対称の関係を有する信号点を前記第２のシンボルの信号点とするマッピングである、
送信装置。
【請求項２】
前記第１のシンボルと前記第２のシンボルとは、隣接するサブキャリア上で送信される、
請求項１に記載の送信装置。
【請求項３】
前記第１のシンボルと前記第２のシンボルとを加算して得られる信号点は、ＢＰＳＫ変調の信号点と同じである、
請求項１に記載の送信装置。
【請求項４】
第１のシンボルと第２のシンボルとを受信する受信ユニットと、
前記受信された第１のシンボルと前記受信された第２のシンボルとを復調する復調ユニットと、を有し、
前記第１のシンボルは、第１のマッピングを用いてデータを変調して生成されたシンボルであり、前記第２のシンボルは、前記第１のシンボルに基づく第２のマッピングを用いて生成されたシンボルであり、
前記第１のマッピングは、ＱＰＳＫ変調のためのマッピングであり、
前記第２のマッピングは、実軸に関して前記第１のシンボルの信号点と線対称の関係を有する信号点を前記第２のシンボルの信号点とするマッピングである、
受信装置。
【請求項５】
前記第１のシンボルと前記第２のシンボルとは、隣接するサブキャリア上で受信される、
請求項４に記載の受信装置。
【請求項６】
前記第１のシンボルと前記第２のシンボルとを加算して得られる信号点は、ＢＰＳＫ変調の信号点と同じである、
請求項４に記載の受信装置。
【請求項７】
送信装置により実行されるデータ送信方法であって、
第１のマッピングを用いて第１のシンボルを生成するステップと、
第２のマッピングを用いて前記第１のシンボルに基づき第２のシンボルを生成するステップと、
前記生成された第１のシンボルと前記生成された第２のシンボルとを送信するステップと、を有し、
前記第１のマッピングは、ＱＰＳＫ変調のためのマッピングであり、
前記第２のマッピングは、実軸に関して前記第１のシンボルの信号点と線対称の関係を有する信号点を前記第２のシンボルの信号点とするマッピングである、
データ送信方法。
【請求項８】
前記第１のシンボルと前記第２のシンボルとは、隣接するサブキャリア上で送信される、
請求項７に記載のデータ送信方法。
【請求項９】
前記第１のシンボルと前記第２のシンボルとを加算して得られる信号点は、ＢＰＳＫ変調の信号点と同じである、
請求項７に記載のデータ送信方法。
【請求項１０】
受信装置により実行されるデータ受信方法であって、
第１のシンボルと第２のシンボルとを受信するステップと、
前記受信された第１のシンボルと前記受信された第２のシンボルとを復調するステップと、を有し、
前記第１のシンボルは、第１のマッピングを用いてデータを変調して生成されたシンボルであり、前記第２のシンボルは、前記第１のシンボルに基づき第２のマッピングを用いて生成されたシンボルであり、
前記第１のマッピングは、ＱＰＳＫ変調のためのマッピングであり、
前記第２のマッピングは、実軸に関して前記第１のシンボルの信号点と線対称の関係を有する信号点を前記第２のシンボルの信号点とするマッピングである、
データ受信方法。
【請求項１１】
前記第１のシンボルと前記第２のシンボルとは、隣接するサブキャリア上で受信される、
請求項１０に記載のデータ受信方法。
【請求項１２】
前記第１のシンボルと前記第２のシンボルとを加算して得られる信号点は、ＢＰＳＫ変調の信号点と同じである、
請求項１０に記載のデータ受信方法。